(57)【要約】【課題】電柱への営巣を簡易にかつ確実に検出する。【解決手段】電柱への営巣を検出する営巣検出システムであって、複数の電柱に亘って架設される光ファイバの一端側から前記光ファイバ内に所定期間毎に光を出射し、前記光ファイバからの反射光を検出する光学機器と、前記光ファイバの経路上における前記各電柱の位置を示す位置情報が記録された電柱情報テーブルと、前記光ファイバの前記一端側に前記光が出射されてから前記反射光が検出されるまでの時間及び前記反射光の強度により求まる前記光ファイバにおける歪みの位置と、前記電柱情報テーブルに記録されている前記各電柱の位置情報と、に基づいて、前記歪みが発生した電柱を特定する電柱特定部と、同一の電柱において所定回数以上連続して前記歪みが検出された場合に、前記電柱への営巣がなされたと判定する営巣判定部と、を備えることを特徴とする営巣検出システム。【選択図】図１
2015053832.tif 000002
【特許請求の範囲】
【請求項１】
電柱への営巣を検出する営巣検出システムであって、
複数の電柱に亘って架設される光ファイバの一端側から前記光ファイバ内に所定期間毎に光を出射し、前記光ファイバからの反射光を検出する光学機器と、
前記光ファイバの経路上における前記各電柱の位置を示す位置情報が記録された電柱情報テーブルと、
前記光ファイバの前記一端側に前記光が出射されてから前記反射光が検出されるまでの時間及び前記反射光の強度により求まる前記光ファイバにおける歪みの位置と、前記電柱情報テーブルに記録されている前記各電柱の位置情報と、に基づいて、前記歪みが発生した電柱を特定する電柱特定部と、
同一の電柱において所定回数以上連続して前記歪みが検出された場合に、前記電柱への営巣がなされたと判定する営巣判定部と、
を備えることを特徴とする営巣検出システム。
【請求項２】
請求項１に記載の営巣検出システムであって、
前記電柱への営巣がなされた旨を示す情報を、通信可能に接続された端末に送信する営巣情報送信部と、
をさらに備えることを特徴とする営巣検出システム。
【請求項３】
請求項１又は２に記載の営巣検出システムであって、
前記営巣判定部は、前記同一の電柱において、前記歪みが検出されていなかった位置に前記歪みが検出され始めてから前記所定回数連続して前記歪みが検出された場合に、前記電柱への営巣がなされたと判定する
ことを特徴とする営巣検出システム。
【請求項４】
請求項１〜３の何れかに記載の営巣検出システムであって、
前記光ファイバは、前記各電柱において、前記各電柱に設置されている腕金の上面部との間に空隙を設けつつ前記腕金の上方を通過するように配索される
ことを特徴とする営巣検出システム。
【請求項５】
請求項１〜４の何れかに記載の営巣検出システムであって、
前記光ファイバは、前記各電柱において、前記各電柱に設置されている腕金の上面部との間に空隙を設けつつ前記腕金の上方を前記腕金の延伸方向に沿った方向に延伸するように配索される
ことを特徴とする営巣検出システム。
【請求項６】
請求項１〜５の何れかに記載の営巣検出システムであって、
前記光ファイバは、心線を複数本有して構成される光ファイバケーブルにおける一部の前記心線である
ことを特徴とする営巣検出システム。
【請求項７】
複数の電柱に亘って架設される光ファイバの経路上における前記各電柱の位置を示す位置情報が記録された電柱情報テーブルを備えた営巣検出システムによる営巣検出方法であって、
前記営巣検出システムが、前記光ファイバの一端側から前記光ファイバ内に所定期間毎に光を出射し、前記光ファイバからの反射光を検出し、
前記営巣検出システムが、前記光ファイバの前記一端側に前記光が出射されてから前記反射光が検出されるまでの時間及び前記反射光の強度により求まる前記光ファイバにおける歪みの位置と、前記電柱情報テーブルに記録されている前記各電柱の位置情報と、に基づいて、前記歪みが発生した電柱を特定し、
前記営巣検出システムが、同一の電柱において所定回数以上連続して前記歪みが検出された場合に、前記電柱への営巣がなされたと判定する
ことを特徴とする営巣検出方法。
【発明の詳細な説明】
【技術分野】
【０００１】
本発明は、営巣検出システム及び営巣検出方法に関する。
【背景技術】
【０００２】
樹木の少ない市街地や野鳥が数多く生息する地域などでは、鳥が電柱の腕金や柱上変圧器などの電柱設備に巣をつくることがある。電柱設備に巣が作られると、思わぬ停電の原因になったり工事の妨げになったりする。
【０００３】
そのため、営巣が発見された場合には作業員を速やかに現地に派遣して巣を撤去するようにしている。
【０００４】
しかしながら、山間部等人の立ち入らない地域の電柱に巣が作られる場合や、電柱の先端付近等の高所に巣が作られるような場合もあり、巣の発見は容易ではない。
【０００５】
このため、鳥による電柱への営巣を困難にするための様々な防巣具等の技術が開発されている（例えば特許文献１参照）。
【先行技術文献】
【特許文献】
【０００６】
【特許文献１】特開２００８−２１２０９７号公報
【発明の概要】
【発明が解決しようとする課題】
【０００７】
しかしながら、このような防巣具を電柱に取り付けたとしても、取り付けた場所に巣が作られることもあり、電柱への営巣を完全になくすことは困難である。
【０００８】
そのため、電柱へカメラ等の監視装置を取り付けておき、営巣の発見を容易にすることも考えられる。しかしながら、電柱の数は膨大であり、全ての電柱にカメラのような監視装置を設置することは現実的ではないし、全ての電柱を監視することも実現困難である。
【０００９】
このようなことから、電柱への営巣を簡易にかつ確実に検出可能とする技術が強く求められている。
【００１０】
本発明は上記課題を鑑みてなされたものであり、電柱への営巣を簡易にかつ確実に検出することを可能にすることを一つの目的とする。
【課題を解決するための手段】
【００１１】
一つの側面に係る営巣検出システムは、電柱への営巣を検出する営巣検出システムであって、複数の電柱に亘って架設される光ファイバの一端側から前記光ファイバ内に所定期間毎に光を出射し、前記光ファイバからの反射光を検出する光学機器と、前記光ファイバの経路上における前記各電柱の位置を示す位置情報が記録された電柱情報テーブルと、前記光ファイバの前記一端側に前記光が出射されてから前記反射光が検出されるまでの時間及び前記反射光の強度により求まる前記光ファイバにおける歪みの位置と、前記電柱情報テーブルに記録されている前記各電柱の位置情報と、に基づいて、前記歪みが発生した電柱を特定する電柱特定部と、同一の電柱において所定回数以上連続して前記歪みが検出された場合に、前記電柱への営巣がなされたと判定する営巣判定部と、を備える。
【００１２】
その他、本願が開示する課題、及びその解決方法は、発明を実施するための形態の欄の記載、及び図面の記載等により明らかにされる。
【発明の効果】
【００１３】
電柱への営巣を簡易にかつ確実に検出することが可能となる。
【図面の簡単な説明】
【００１４】
【図１】本実施形態に係る営巣検出システムを用いて電柱への営巣を検出する際の様子を示す図である。
【図２】クロージャ内の光ファイバの様子を示す図である。
【図３】腕金に光ファイバが配索されている様子を示す図である。
【図４】腕金への営巣により光ファイバに歪みが生じている様子を示す図である。
【図５】本実施形態に係る営巣検出システムの構成を示す図である。
【図６】本実施形態に係る営巣検出装置のハードウェア構成を示す図である。
【図７】本実施形態に係る電柱情報データベースを示す図である。
【図８】本実施形態に係る営巣検出装置の記憶装置を示す図である。
【図９】本実施形態に係る営巣検出条件設定テーブルを示す図である。
【図１０】本実施形態に係る営巣検出方法を説明するためのフローチャートである。
【図１１】本実施形態に係る営巣検出状況を示す画面例である。
【発明を実施するための形態】
【００１５】
本明細書および添付図面の記載により、少なくとも以下の事項が明らかとなる。
【００１６】
本発明の実施形態に係る営巣検出システム１０００、及び営巣検出システム１０００を用いて電柱７００への営巣を検出する方法について、図１〜図１１を参照しながら説明する。
【００１７】
図１に示すように、電柱７００には配電線用腕金７１０や通信線用腕金７１２等の各種電柱設備７１３が設置されている。これらの電柱設備７１３は、鳥が営巣を行う際の足場となりやすい。
【００１８】
なお以下に説明する本実施形態では、配電線用腕金７１０への営巣を検出する場合を例示するが、通信線用腕金７１２への営巣を検出する場合や、例えば柱上変圧器等の他の電柱設備７１３への営巣を検出する場合にも同様に適用できる。
【００１９】
配電線用腕金７１０には碍子７３０が取り付けられている。碍子７３０には配電線７２０が架設されている。また通信線用腕金７１２には、光ファイバケーブル７４０が架設されている。
【００２０】
本実施形態に係る光ファイバケーブル７４０は、複数本の光通信用の光ファイバ（心線）を被覆して構成されるケーブルである。
【００２１】
そしてこの光ファイバケーブル７４０内の一部（例えば一本）の光ファイバは、営巣検出用心線７４１として用いられ、他の光ファイバは光通信用心線７４２として用いられる。
【００２２】
営巣検出用心線７４１は、電柱７００への営巣を検出するために用いられる光ファイバである。光通信用心線７４２は、インタネット等に接続されるコンピュータ等の情報処理装置同士を通信可能に接続するための通信路として用いられる光ファイバである。
【００２３】
図２に示すように、営巣検出用心線７４１は、光ファイバケーブル７４０の経路上に設けられるクロージャ７５０において他の光通信用心線７４２から分離して、電柱７００の配電線用腕金７１０に向かう。
【００２４】
図１に示すように、営巣検出用心線７４１は、クロージャ７５０から電柱７００に沿って配電線用腕金７１０に向かい、配電線用腕金７１０の延伸方向に沿って配電線用腕金７１０を囲うように周回したのち、再びクロージャ７５０に戻ってくるように配索される。そしてクロージャ７５０に戻ってきた営巣検出用心線７４１は、図２に示すように、クロージャ７５０内で他の光通信用心線７４２と合流して、隣接する電柱７００に向かう。
【００２５】
次に図３を参照しながら、本実施形態に係る営巣検出用心線７４１が配電線用腕金７１０を囲うように配索される様子を説明する。
【００２６】
営巣検出用心線７４１は、クロージャ７５０において他の光通信用心線７４２から分離した後、電柱７００沿いに配電線用腕金７１０に向かうように配索される。そして営巣検出用心線７４１は、配電線用腕金７１０の下面部あるいは側面部に沿って、配電線用腕金７１０の一方の端部（一端）に向かって延伸した後、配電線用腕金７１０の一端に設けられているガイド７１１に沿って鉛直上方に立ち上がり、そして配電線用腕金７１０の上面部との間に空隙を設けつつ、配電線用腕金７１０の上方を通過するように配索される。
【００２７】
例えば営巣検出用心線７４１は、図３に示すように、配電線用腕金７１０の上面部との間に空隙を設けつつ、配電線用腕金７１０の上方を配電線用腕金７１０の延伸方向に沿って延伸するように配索される。
【００２８】
そして営巣検出用心線７４１は、配電線用腕金７１０の他方の端部（他端）に設けられているガイド７１１に沿って鉛直下方に立ち下がった後、配電線用腕金７１０の下面部あるいは側面部に沿って配電線用腕金７１０の他端から電柱７００に向かい、そしてクロージャ７５０に戻るように配索される。
【００２９】
営巣検出用心線７４１をこのように配索しておくことにより、例えば図４に示すように配電線用腕金７１０の上に巣９００が作られた場合には、営巣検出用心線７４１に巣９００が引っ掛かり、巣９００の重みにより営巣検出用心線７４１をたわませることができる。
【００３０】
営巣検出用心線７４１がたわむことにより、営巣検出用心線７４１に曲げ及び引っ張り等の歪みを生じさせることができるため、営巣検出用心線７４１内を進む光パルスの一部を歪みの位置において反射させ、光パルスの強度を減衰させることができる。
【００３１】
図１に示すように、本実施形態に係る営巣検出システム１０００を営巣検出用心線７４１の一端側に接続し、営巣検出システム１０００から営巣検出用心線７４１内に所定期間毎に光を出射し、そして営巣検出システム１０００が営巣検出用心線７４１からの反射光を検出することにより、営巣検出用心線７４１の歪みを検出し、電柱７００に営巣がなされたことを検出することができる。
【００３２】
なお、営巣検出用心線７４１を配電線用腕金７１０の上方を通過するように配索する際には、図４に例示したように配電線用腕金７１０の延伸方向に沿って延伸するように配索する以外にも、例えば、配電線用腕金７１０を巻回軸として営巣検出用心線７４１を巻回させるようにしても良い。このようにすることにより、配電線用腕金７１０上に巣９００が作られた場合に、巣９００が営巣検出用心線７４１により引っ掛かりやすくなるので、より確実に営巣を検出することが可能となる。
【００３３】
また、営巣検出用心線７４１を配電線用腕金７１０の上方を通過するように配索する際には、少なくとも営巣検出用心線７４１が配電線用腕金７１０の上面部に接触しない程度に、緩みを抑えた態様で配索することが好ましい。このような態様により、巣９００の重みで営巣検出用心線７４１がたわんだ際に営巣検出用心線７４１に生じる張力が増大し、光パルスの減衰量を増大させることができる。このため、営巣検出システム１０００による営巣の検出精度を向上させることが可能となる。
【００３４】
次に、本実施形態に係る営巣検出システム１０００の構成について、図５を参照しながら説明する。
【００３５】
図５に示すように営巣検出システム１０００は、ＯＴＤＲ（Optical Time-Domain Reflectometer）３００、営巣検出装置１００、電柱情報データベース２００、端末４００を有して構成されている。
【００３６】
ＯＴＤＲ３００は、営巣検出用心線７４１の一端側から、営巣検出用心線７４１内に所定期間毎に光を出射し、営巣検出用心線７４１からの反射光を検出する光学機器である。そしてＯＴＤＲ３００は、営巣検出用心線７４１の一端側に光パルスを出射してから反射光が検出されるまでの時間に基づいて、反射光が生成された位置も測定することができる。
【００３７】
電柱情報データベース２００は、営巣検出用心線７４１の経路上における各電柱７００の位置を示す位置情報が記録されたテーブルである。
【００３８】
電柱情報データベース２００の一例を図７に示す。本実施形態に係る電柱情報データベース２００には、図７に示すように、各電柱７００の識別情報と、ＯＴＤＲ３００から各電柱７００までの営巣検出用心線７４１の経路に沿った距離と、がそれぞれ対応付けて記録されている。
【００３９】
営巣検出装置１００は、ＯＴＤＲ３００による反射光の検出結果と、電柱情報データベース２００に記録されている情報と、に基づいて、電柱７００への営巣を検出する装置である。
【００４０】
なお営巣検出装置１００は、たとえば営巣検出用に作られた専用の装置により実現しても良いし、一般のコンピュータ等の情報処理装置に本実施形態で説明する各種機能を実現するためのプログラムを実行させることにより実現しても良い。
【００４１】
また、営巣検出装置１００にＯＴＤＲ３００の機能及び電柱情報データベース２００の機能の少なくとも一方を内蔵するように構成しても良い。
【００４２】
端末４００は、営巣検出装置１００から営巣の検出結果を受信し、営巣の検出結果を出力する情報処理装置である。端末４００は、例えば一般のコンピュータ等の情報処理装置により実現しても良いし、携帯電話機やスマートフォン等のモバイル機器により実現しても良い。
【００４３】
次に、本実施形態に係る営巣検出装置１００のハードウェア構成の一例を図６に示す。
【００４４】
なお端末４００の各ハードウェア構成要素は、営巣検出装置１００の各ハードウェア構成要素と同様であるため、以下の説明では、営巣検出装置１００のハードウェア構成要素について説明し、端末４００のハードウェア構成要素についての重複する説明は適宜省略する。
【００４５】
営巣検出装置１００は、ＣＰＵ（Central Processing Unit）１１０、メモリ１２０、通信装置１３０、記憶装置１４０、入力装置１５０、出力装置１６０及び記録媒体読取装置１７０を有して構成される情報処理装置である。
【００４６】
ＣＰＵ１１０は営巣検出装置１００の全体の制御を司るもので、記憶装置１４０に記憶される本実施形態に係る各種の動作を行うためのコードから構成される営巣検出装置制御プログラム１４１及び営巣検出条件設定テーブル１４２をメモリ１２０に読み出して実行することにより、営巣検出装置１００としての各種機能を実現する。
【００４７】
例えば、詳細は後述するが、ＣＰＵ１１０により営巣検出装置制御プログラム１４１が実行され、メモリ１２０や通信装置１３０、記憶装置１４０等のハードウェア機器と協働することにより、電柱特定部や営巣判定部、営巣情報送信部が実現される。
【００４８】
メモリ１２０は例えば半導体記憶装置により構成することができる。
【００４９】
記憶装置１４０は、例えばハードディスク装置や半導体記憶装置等により構成することができる。記憶装置１４０は、各種プログラムやデータ、テーブル等を記憶するための物理的な記憶領域を提供する装置である。記憶装置１４０は、営巣検出装置１００に内蔵されている形態とすることもできるし、外付されている形態とすることもできる。記憶装置１４０に、本実施形態に係る営巣検出装置制御プログラム１４１や営巣検出条件設定テーブル１４２が記憶されている様子を図８に示す。
【００５０】
なお、営巣検出装置制御プログラム１４１や営巣検出条件設定テーブル１４２は、記録媒体読取装置１７０を用いて、記録媒体（各種の光ディスクや磁気ディスク、半導体メモリ等）８００から記憶装置１４０に読み出すことで、営巣検出装置１００に格納されるようにすることもできるし、通信装置１３０を介して通信可能に接続される他のコンピュータから取得することで、営巣検出装置１００に格納されるようにすることもできる。なお後者の場合には、営巣検出装置１００は記憶装置１４０を備えない構成とすることも可能である。
【００５１】
営巣検出装置制御プログラム１４１及び営巣検出条件設定テーブル１４２は、本実施形態に示す営巣検出装置１００の各種機能や方法を実現するためのプログラム及びテーブルである。
【００５２】
営巣検出条件設定テーブル１４２の一例を図９に示す。営巣検出条件設定テーブル１４２には、「光伝送損失量」、「判定時間」、「パルス送信周期」が設定されている。
【００５３】
「パルス送信周期」欄には、ＯＴＤＲ３００が営巣検出用心線７４１内に光パルスを出射する周期が記載されている。図９に示す例では、ＯＴＤＲ３００は１分毎に営巣検出用心線７４１内に光パルスを出射することが記載されている。
【００５４】
「光伝送損失量」欄には、営巣検出用心線７４１に歪みが生じて、営巣検出用心線７４１からの反射光が減衰した場合に、営巣検出装置１００が営巣検出用心線７４１の歪みを検知するための判定値が記載されている。図９に示す例では、所定の規準に対する反射光の強度が−６ｄＢ以下になった場合に、営巣検出装置７４１は営巣検出用心線７４１に歪みが生じていることを検知することが記載されている。
【００５５】
なお、所定の基準は様々に定めることができる。例えば、営巣検出用心線７４１の同一位置における１分前の反射光強度を基準としても良いし、同一位置における反射光強度の計測開始からの平均値を基準としても良いし、同一位置における反射光強度の過去所定時間（例えば過去１時間）の移動平均値を基準としても良い。さらには、営巣検出用心線７４１上で所定距離（例えば１メートル）だけＯＴＤＲ３００に近い位置における反射光強度を基準としても良い。
【００５６】
また上述したように、ＯＴＤＲ３００は、営巣検出用心線７４１の一端側に光パルスを出射してから反射光が検出されるまでの時間に基づいて、反射光が生成された位置も測定することができる。このため営巣検出装置１００は、営巣検出用心線７４１に歪みが生じている位置を特定することができる。そして営巣検出装置１００は、電柱情報データベース２００に記録されている各電柱７００の位置情報を参照することにより、営巣検出用心線７４１の歪みが生じている電柱７００を特定することができる。
【００５７】
そして営巣検出装置１００は、同一の電柱７００において所定回数以上連続して営巣検出用心線７４１の歪みが検出された場合に、この電柱７００への営巣がなされたと判定する。
【００５８】
「判定時間」欄には、営巣検出装置１００が営巣を判定する際の判定値が記載されている。例えば図９に示す例では、同一の電柱７００において営巣検出用心線７４１からの反射光が−６ｄＢ以下に減衰した状態が１時間以上（つまり６１回以上）継続した場合に、営巣検出装置７４１は、その電柱７００に営巣がなされたと判定する。もちろん、営巣検出装置１００は、判定時間ではなく、判定回数により営巣の判定を行うようにしても良い。
【００５９】
次に、本実施形態に係る営巣検出システム１０００を用いて電柱７００への営巣を検出する方法について、図１０に示すフローチャートを参照しながら説明する。
【００６０】
まずＯＴＤＲ３００は、営巣検出用心線７４１に光パルスを出射し、営巣検出用心線７４１からの反射光の強度の時間分布（反射光が戻ってくるまでの時間ごとの反射光の強度）を計測する。そしてＯＴＤＲ３００は、反射光が戻ってくるまでの時間からその反射光が生成された位置を算出することにより反射光強度の距離分布を求める（S1000）。
【００６１】
次にＯＴＤＲ３００は、反射光強度の距離分布を営巣検出装置１００に送信する（S1010）。そしてＯＴＤＲ３００は、所定時間（例えば１分間）待機した後（S1020）、再びS1000を実行する。
【００６２】
一方、営巣検出装置１００は、ＯＴＤＲ３００から反射光強度の距離分布を受信すると(S1010)、営巣検出用心線７４１の歪みの位置を特定する（S1030）。たとえば営巣検出装置１００は、最新の反射光強度の距離分布と、１日前の反射光強度の距離分布と、と比較して、同一の位置における反射光強度が−６ｄＢ以下になっている箇所を、営巣検出用心線７４１の歪みの位置を特定する。
【００６３】
そして営巣検出装置１００は、電柱情報データベース２００を参照し、歪みが発生した電柱７００を特定する（S1040）。
【００６４】
次に営巣検出装置１００は、同一の電柱７００において所定回数以上連続して営巣検出用心線７４１の歪みを検出したか否かを判定する(S1050)。例えば営巣検出装置１００は、６０回数以上連続して営巣検出用心線７４１の歪みを検出したか否かを判定する。
【００６５】
営巣検出装置１００は、同一の電柱７００において所定回数以上連続して営巣検出用心線７４１の歪みを検出した場合には、その電柱７００において営巣がなされたと判定する。そしてこの場合営巣検出装置１００は、S1050を"Yes"に進み、端末４００に対して、営巣が検出された旨を示す情報を送信する（S1060）。なお営巣が検出された旨を示す情報には、営巣が検出された電柱を特定する情報や、営巣を検出した日時などが含まれている。
【００６６】
一方で、同一の電柱７００において所定回数以上連続して営巣検出用心線７４１の歪みが検出されない場合には、営巣検出装置１００は、S1050を"No"に進む。
【００６７】
端末４００は、営巣検出装置１００から営巣が検出された旨を示す情報を受信すると(S1060)、営巣の検出状況をモニタ等の出力装置に出力する。
【００６８】
端末４００の出力装置に、営巣の検出状況が出力されている様子を図１１に示す。図１１に示す例では、「北幹１５号」及び「北幹２３号」という電柱７００に、営巣が検出されたことが示されている。
【００６９】
そしてそのうち「北幹１５号」は既に巣９００の撤去が完了済みであり、「北幹２３号」は未確認の状態であることが示されている。
【００７０】
この場合、端末４００に表示された営巣の検出状況を見た担当者は「北幹２３号」に作業員を向かわせ、巣９００の撤去を行う。営巣が撤去されると営巣検出用心線７４１の歪みが無くなることから、営巣検出システム１０００はS1050を"No"（"Yes"の出力は停止）に進み、これにより端末４００は「検出中」の状態表示を消す（「北幹１５号」は「正常」に回復したことを表わす）。
【００７１】
以上のように、本実施形態に係る営巣検出システム１０００、及び営巣検出システム１０００を用いて電柱７００への営巣を検出する方法によれば、電柱７００への営巣を簡易にかつ確実に検出することが可能となる。
【００７２】
例えば、電柱７００に設置されている光ファイバケーブル７４０を利用して営巣を検出するので、カメラのような新たな設備を各電柱７００に装着して監視するような複雑なことを行わずに、広範囲の電柱７００に対して簡易に営巣を検出することができる。そして営巣の場所が具体的に特定できるので、作業員を営巣の場所まで急行させることも可能となる。
【００７３】
また営巣検出用心線７４１に所定時間毎に光パルスを出射し、同一の電柱で所定回数以上連続して営巣検出用心線７４１の歪みが検出された場合に営巣がなされたと判定するようにしているので、例えば鳥が一時的に営巣検出用心線７４１に留まっているような場合に営巣がなされたと誤判定することも防止できるので、確実に営巣を検出することができる。
【００７４】
そしてこれにより、停電事故の発生を防ぐことが可能となる。
【００７５】
また本実施形態に係る営巣検出システム１０００は、電柱７００への営巣がなされたと判定した場合に、その旨を示す情報を通信可能に接続された端末４００に送信するようにしている。これにより、担当者や作業員は、営巣がなされたか否かの確認を主体的に行わなくて済むので、作業効率や業務効率を向上させることができる。
【００７６】
また本実施形態に係る営巣検出システム１０００は、営巣検出用心線７４１に所定時間毎に光パルスを出射し、同一の電柱７００において、歪みが検出されていなかった位置に歪みが検出され始めてから所定回数連続して歪みが検出された場合に、電柱７００への営巣がなされたと判定するようにすることもできる。これにより、営巣検出システム１０００による営巣の検出処理が開始される前から元々、営巣検出用心線７４１に歪みが生じていた場合に、この歪みを営巣によるものと誤判定することを防止することが可能になるので、検出精度をさらに向上させることが可能となる。
【００７７】
また、営巣検出用心線７４１は、各電柱７００において、各電柱７００に設置されている配電線用腕金７１０の上面部との間に空隙を設けつつ配電線用腕金７１０の上方を通過するように配索されるようにすることができる。このような態様により、鳥が配電線用腕金７１０の上面部に営巣を行なった際に、巣９００が営巣検出用心線７４１に引っかかり、巣９００の重みによる営巣検出用心線７４１のたわみ量を大きくすることができるので、より一層検出精度を向上させることが可能となる。
【００７８】
また営巣検出用心線７４１は、各電柱７００において、各電柱７００に設置されている配電線用腕金７１０の上面部との間に空隙を設けつつ、配電線用腕金７１０の上方を配電線用腕金７１０の延伸方向に沿った方向に延伸するように配索されるようにすることもできる。このような態様により、鳥が配電線用腕金７１０上のいずれの位置に営巣を行なった場合でも、営巣を検出することが可能となるので、より一層検出精度を向上させることが可能となる。
【００７９】
また営巣検出用心線７４１は、心線を複数本有して構成される光ファイバケーブル７４０における一部の心線であるようにすることもできる。この場合、光通信用に用いられる光ファイバケーブル７４０内の一部の心線を営巣検出用に用いることが可能となる。
【００８０】
以上説明したように、本実施形態によれば、電柱７００への営巣を簡易にかつ確実に検出することが可能となる。
【００８１】
なお上述した実施の形態は本発明の理解を容易にするためのものであり、本発明を限定して解釈するためのものではない。本発明はその趣旨を逸脱することなく変更、改良され得るとともに、本発明にはその等価物も含まれる。
【００８２】
例えば上記実施形態では電柱７００に配電線７２０が架設されている場合について説明したが、送電線が架設される場合であっても良い。
【符号の説明】
【００８３】
１００    営巣検出装置
１１０    ＣＰＵ
１２０    メモリ
１３０    通信装置
１４０    記憶装置
１４１    営巣検出装置制御プログラム
１４２    営巣検出条件設定テーブル
１５０    入力装置
１６０    出力装置
１７０    記録媒体読取装置
２００    電柱情報データベース
３００    ＯＴＤＲ
４００    端末
６００    ネットワーク
７００    電柱
７１０    配電線用腕金
７１１    ガイド
７１２    通信線用腕金
７１３    電柱設備
７２０    配電線
７３０    碍子
７４０    光ファイバケーブル
７４１    営巣検出用心線
７４２    光通信用心線
７５０    クロージャ
８００    記録媒体
９００    巣
１０００  営巣検出システム
【図１】
2015053832.tif 000003
【図２】
2015053832.tif 000004
【図３】
2015053832.tif 000005
【図４】
2015053832.tif 000006
【図５】
2015053832.tif 000007
【図６】
2015053832.tif 000008
【図７】
2015053832.tif 000009
【図８】
2015053832.tif 000010
【図９】
2015053832.tif 000011
【図１０】
2015053832.tif 000012
【図１１】
2015053832.tif 000013